(57)【要約】【課題】室内物干し機能を確保することができ、洗濯物の乾燥効率にも優れた換気装置を提供すること。【解決手段】建物の室内を換気するための換気装置１であって、室内の壁面Ｄに配設され、屋外と連通する開口２１を備えた換気部２と、前記換気部２に配設されたアーム３と、を備え、前記アーム３は、前記換気部２側を支軸として、先端部３aが前記換気部２から離れる方向および先端部３aが前記換気部２に近づく方向へ回動自在であり、前記アーム３の前記先端部３aを前記換気部２から離れる方向に回動させることで、前記アーム３を介して洗濯物を吊り下げ可能である換気装置１とする。【選択図】図１
2016014280.tif 000002
【特許請求の範囲】
【請求項１】
建物の室内の壁面に配設される換気装置であって、
開口を備えた換気部と、
前記換気部に配設されたアームと、
を備え、前記アームは、前記換気部側を支軸として、先端部が前記換気部から離れる方向および先端部が前記換気部に近づく方向へ回動自在であり、前記アームの前記先端部を前記換気部から離れる方向に回動させることで、前記アームを介して洗濯物を吊り下げ可能であることを特徴とする換気装置。
【請求項２】
前記換気部は縦長であり、かつ、少なくとも前記壁面に設けられた窓の左右両側付近のうちのいずれか一方を含む同一壁面上の２か所以上に配設され、前記アームは、２か所以上に配設される前記換気部のうち、少なくとも、両側に位置する前記換気部に配設されていることを特徴とする請求項１に記載の換気装置。
【請求項３】
前記換気部は横長であり、かつ、前記壁面に設けられた窓の上側付近に配設され、前記アームは、前記換気部の左右両側付近に配設されていることを特徴とする請求項１に記載の換気装置。
【請求項４】
前記アームは、前記先端部が前記換気部から離れる方向および先端部が前記換気部に近づく方向へ回動させることで前記換気部の開口面積を調整可能であることを特徴とする請求項１から３のいずれか一項に記載の換気装置。
【請求項５】
前記換気部の開口内部に、送風機が配設されていることを特徴とする請求項１から４のいずれか一項に記載の換気装置。
【発明の詳細な説明】
【技術分野】
【０００１】
本発明は、換気装置に関する。具体的には、室内物干し機能を備えた換気装置に関する。
【背景技術】
【０００２】
従来より、洗濯物の室内干しに使用される物干し装置が知られている。具体的には、例えば、特許文献１には、壁面状の被取り付け部位に取り付けられる横長の取り付け部と、この取り付け部に上方へ折り畳み可能に結合された棚板部と、この棚板部の前縁側に一体に設けられた吊り下げ支持部とを有する物干し装置が記載されている。また、特許文献１の物干し装置は、取り付け部を介してサッシの中桟に室内側に取り付けられることが記載されている。
【先行技術文献】
【特許文献】
【０００３】
【特許文献１】特開2010-136858号公報
【発明の概要】
【発明が解決しようとする課題】
【０００４】
しかしながら、特許文献１の物干し装置は、サッシの中桟に取り付けられるものであるため、サッシの形態によっては、自由な取り付けができないという問題がある。また、特許文献１の物干し装置では、洗濯物の乾燥効率を向上させるための工夫については十分に検討されていない。
【０００５】
本発明は、以上のとおりの事情に鑑みてなされたものであり、室内物干し機能を確保することができ、洗濯物の乾燥効率にも優れた換気装置を提供することを課題としている。
【課題を解決するための手段】
【０００６】
上記の課題を解決するために、本発明の換気装置は、建物の室内の壁面に配設される換気装置であって、開口を備えた換気部と、前記換気部に配設されたアームと、を備え、前記アームは、前記換気部側を支軸として、先端部が前記換気部から離れる方向および先端部が前記換気部に近づく方向へ回動自在であり、前記アームの前記先端部を前記換気部から離れる方向に回動させることで、前記アームを介して洗濯物を吊り下げ可能であることを特徴としている。
【発明の効果】
【０００７】
本発明の換気装置によれば、室内物干し機能を確保することができ、洗濯物の乾燥効率にも優れている。
【図面の簡単な説明】
【０００８】
【図１】本発明の換気装置の第１実施形態を例示した斜視図である。
【図２】本発明の換気装置の第２実施形態を例示した斜視図である。
【図３】本発明の換気装置の第３実施形態を例示した斜視図である。
【図４】本発明の換気装置の第４実施形態を例示した斜視図である。
【図５】本発明の換気装置の第５実施形態を例示した斜視図である。
【発明を実施するための形態】
【０００９】
図１は、本発明の換気装置の第１実施形態を例示した斜視図である。
【００１０】
換気装置１は、建物の屋内と屋外とを仕切る壁面Ｄに配設されることで、建物の室内を換気し、室内物干しを可能にするものである。
【００１１】
換気装置１は、換気部２およびアーム３を備えている。
【００１２】
換気部２は、室内の窓Ｗの側方端部に近接する壁面Ｄに配設されている。換気部２は、縦長の矩形状であり、全面にわたって屋外と連通する開口２１が形成されている。この開口２１には、開閉自在なルーバー２２が設けられており、ルーバー２２を操作することで換気部２の換気量を調整することができる。
【００１３】
アーム３は、換気部２の上端付近に配設されている。具体的には、アーム３は、壁面Ｄ側の支持部３１において換気部２の上端付近に固定されており、この支持部３１から物干し部３２が延設されている。物干し部３２には、左右に貫通する挿入口３３が４つ形成されており、例えば、この挿入口３３にハンガーなどを引っ掛けることによって洗濯物を吊り下げることができる。
【００１４】
アーム３は、換気部２側の支持部３１を支軸として、先端部３aが換気部２から離れる方向および先端部３aが換気部２に近づく方向へ回動させることができる。具体的には、この実施形態では、アーム３は、壁面Ｄと平行な位置を基準として、縦方向に0°〜135°程度の範囲で回動自在に設計されている。アーム３を上方向Ｘ（先端部３aが換気部２から離れる方向Ｘ）に回動させることで、アーム３を室内側に突出させることができ、この状態において挿入口３３にハンガーなどを引っ掛けることによって洗濯物を吊り下げることができる。一方、洗濯物の室内干しをしない場合には、アーム３を下方向Ｙ（先端部３aが換気部２に近づく方向Ｙ）へ回動させて折り畳むことができるため、アーム３が妨げになることが抑制される。
【００１５】
この実施形態の換気装置１は、換気部２が窓Ｗの側方端部に近接する壁面Ｄに配設されており、この換気部２に配設されたアーム３を介して洗濯物を吊り下げることができる。このため、例えば、サッシＳの形態に関わらず室内物干し機能を確保することができる。また、アーム３を介して換気部２の付近に洗濯物を吊り下げることができるため、換気部２を出入りする気流に洗濯物を曝すことができ、洗濯物の乾燥効率にも優れている。
【００１６】
なお、この実施形態において、例えば、アーム３の配設位置や配設数は図１に例示した形態に限定されることはなく、適宜設計することができる。また、換気部２は、サッシＳと連結していてもよいし、独立していてもよい。また、換気部２は、屋内と屋外とを仕切る壁面Ｄのうち窓Ｗが設けられていない壁面Ｄに配設することもできる。
【００１７】
図２は、本発明の換気装置の第２実施形態を例示した斜視図である。第１実施形態と共通する部分には同一の符号を付し、一部説明は省略する。
【００１８】
第２実施形態の換気装置１では、換気部２は縦長であり、窓Ｗの左右両側付近の２か所に配設されている。
【００１９】
アーム３は、２か所に配設された換気部２のそれぞれにおいて、略同じ高さ位置に配設されている。また、アーム３は、第１実施形態と同様に回動自在に設計されている。例えば、窓Ｗを挟んで対向する２つのアーム３のそれぞれの挿入口３３に物干し竿Ｂを挿通することで、２つのアーム３の間に物干し竿Ｂを架け渡すことができ、この物干し竿Ｂにハンガーなどで洗濯物を吊り下げることで洗濯物Ｃを室内干しすることができる。
【００２０】
図２に例示した換気装置１は、換気部２が窓Ｗの左右両側付近の２か所に配設されており、この換気部２に配設されたアーム３を介して洗濯物Ｃを吊り下げることができる。このため、例えば、サッシＳの形態に関わらず室内物干し機能を確保することができる。また、換気部２が窓Ｗの左右両側付近の２か所に配設されているため、換気部２を通じて気流Ｆの流れが良好であり、アーム３を介して換気部２の付近に洗濯物Ｃを吊り下げることで、換気部２から出入りする気流Ｆに洗濯物Ｃを曝すことができ、洗濯物Ｃの乾燥効率にも優れている。
【００２１】
なお、この実施形態において、例えば、換気部２の配設位置や配設数は、図２に例示した形態に限定されることはなく、適宜設計することができる。すなわち、この実施形態では、換気部２が、少なくとも壁面Ｄに設けられた窓Ｗの左右両側付近のうちのいずれか一方を含む同一壁面Ｄ上の２か所以上に配設されている。そして、アーム３が、２か所以上に配設された換気部２のうち、少なくとも、両側に位置する換気部２に配設されている。
【００２２】
図３は、本発明の換気装置の第３実施形態を例示した斜視図である。
【００２３】
第３実施形態の換気装置１では、換気部２は横長の矩形状であり、窓Ｗの上側付近の壁面Ｄに配設されている。換気部２は、外部と連通する開口２１が形成されており、この開口２１には、開閉自在なルーバー２２が設けられている。
【００２４】
アーム３は、長尺な角棒状であり、換気部２の左右両側付近に配設されている。そして、アーム３は、先端部３aが換気部２から離れる方向Ｘおよび先端部３aが換気部２に近づく方向Ｙへ回動させることができる。具体的には、この実施形態では、アーム３を換気部２の左右方向の外側Ｘ（先端部３aが換気部２から離れる方向Ｘ）に向かって回動させることで、アーム３を室内側の斜め下方向に突出させることができ、この状態において、対向するアーム３の間に物干し竿Ｂを架け渡して洗濯物を吊り下げることができる。一方、洗濯物の室内干しをしない場合には、アーム３を換気部２の左右方向の中央側Ｙ（先端部３aが換気部２に近づく方向Ｙ）へ回動させて、斜め上方向に折り畳むことができるため、アーム３が妨げになることが抑制される。
【００２５】
図３に例示した換気装置１は、換気部２は横長であり、かつ、窓Ｗの上側付近に配設されており、アーム３は、換気部２の左右両側付近に配設されている。このため、例えば、サッシの形態に関わらず室内物干し機能を確保することができる。また、アーム３を介して換気部２の付近に洗濯物を吊り下げることができるため、換気部２から出入りする気流Ｆに洗濯物を曝すことができ、洗濯物の乾燥効率にも優れている。
【００２６】
図４は、本発明の換気装置の第４実施形態を例示した斜視図である。第１実施形態と共通する部分には同一の符号を付し、一部説明は省略する。
【００２７】
第４実施形態の換気装置１では、換気部２は、室内の窓Ｗの側方端部に近接する壁面Ｄに配設されており、アーム３は、換気部２の上端付近に配設されている。換気部２は、全面に亘って開口２１を有しており、ルーバー２２は、アーム３の下側から換気部２の下端に配設されている。
【００２８】
アーム３は、壁面Ｄ側から突出する突出部３４と、この突出部３４の先端から上向きに屈曲する爪部３５とを備えている。
【００２９】
また、アーム３は、突出部３４の基部を支軸として、先端部３aが換気部２から離れる方向Ｘおよび先端部３aが換気部２に近づく方向Ｙへ回動させることができる。具体的には、この実施形態では、アーム３は、壁面Ｄと平行な位置を基準として、縦方向に0°〜90°程度の範囲で回動自在に設計されている。アーム３を上方向Ｘ（先端部３aが換気部２から離れる方向Ｘ）に回動させることで、アーム３を室内側に突出させることができ、この状態において、爪部３５の内側にハンガーや物干し竿などを引っ掛けることによって洗濯物を吊り下げることができる。また、アーム３を上方向Ｘ（先端部３aが換気部２から離れる方向Ｘ）に回動させた状態では、アーム３の下側に位置する換気部２の開口２１は露出し、換気部２の開口面積が増大する。このため、開口２１からより多くの気流が流入し、洗濯物を気流に曝すことができる。一方、洗濯物の室内干しをしない場合には、アーム３を下方向Ｙ（先端部３aが換気部２に近づく方向Ｙ）へ回動させて換気部２の開口２１に嵌合させて収納することができる。このため、アーム３が妨げになることが抑制され、さらに、アーム３の下側に位置する換気部２の開口２１が閉鎖されるため、換気部２の開口面積を減じることができる。
【００３０】
この実施形態の換気装置１においても、例えば、サッシＳの形態に関わらず室内物干し機能を確保することができる。また、この実施形態の換気装置１では、アーム３を先端部３aが換気部２から離れる方向Ｘおよび先端部３aが前記換気部２に近づく方向Ｙへ回動させることで、換気部２の開口面積を調整することができる。
【００３１】
図５は、本発明の換気装置の第５実施形態を例示した斜視図である。第２実施形態と共通する部分には同一の符号を付し、一部説明は省略する。
【００３２】
第５実施形態の換気装置１では、換気部２は縦長であり、窓Ｗの左右両側付近の２か所に配設されている。そして、換気部２の上端付近の開口２１内部には送風機４が配設されている。送風機４はルーバー２２で覆われており、ルーバー２２を閉鎖することでルーバー２２の内側に隠蔽される。送風機４は、室内に気流を供給するための公知の形態のものであってよく、例えば、換気扇を例示することができる。また、送風機４は、別途設けられたスイッチによって運転が制御されるものや、温湿度センサーによって運転が自動制御されるものであってよい。さらに、この実施形態において、送風機４の配設数や配設位置は、図５に例示した形態に限定されず、適宜設計することができる。
【００３３】
この実施形態の換気装置１は、換気部２が窓Ｗの左右両側付近の２か所に配設されており、例えば、換気部２に配設されたアーム３の挿入口３３に物干し竿Ｂを挿入して、洗濯物Ｃを吊り下げることができる。このため、例えば、サッシＳの形態に関わらず室内物干し機能を確保することができる。また、換気部２の開口２１内部に送風機４が配設されているため、例えば、換気部２からの気流による洗濯物Ｃの自然乾燥では不十分な場合に、送風機４を運転させて洗濯物Ｃの乾燥を促進することができ、洗濯物Ｃの乾燥効率がさらに優れている。
【００３４】
このように、本発明の換気装置１は、建物の室内の壁面Ｄに配設される換気装置１であって、開口２１を備えた換気部２と、換気部２に配設されたアーム３と、を備えている。そして、アーム３は、換気部２側を支軸として、先端部３aが換気部２から離れる方向および先端部３aが換気部２に近づく方向へ回動自在である。アーム３の先端部３aを換気部２から離れる方向に回動させることで、アーム３を介して洗濯物Ｃを吊り下げ可能である。このため、例えば、サッシＳの有無や形態に関わらず室内物干し機能を確保することができる。また、アーム３を介して換気部２の付近に洗濯物Ｃを吊り下げることができるため、換気部２を出入りする気流に洗濯物Ｃを曝すことができ、洗濯物Ｃの乾燥効率にも優れている。
【００３５】
本発明の換気装置は、第１〜第５実施形態に限定されるものではない。例えば、換気装置は、建物の屋内と屋外を仕切る壁面のうち、窓が設けられていない壁面に配設することもできる。
【符号の説明】
【００３６】
１    換気装置
２    換気部
２１  開口
３    アーム
４    送風機
Ｄ    壁面
Ｗ    窓
【図１】
2016014280.tif 000003
【図２】
2016014280.tif 000004
【図３】
2016014280.tif 000005
【図４】
2016014280.tif 000006
【図５】
2016014280.tif 000007